(57)【要約】【課題】  鼻緒の取付けや取り外しが容易にできるようにして、使用者が気軽に使用できる下駄を提供する。【解決手段】  足を乗せる台座１０１と、台座１０１に取付ける鼻緒１１０とからなり、台座１０１の踏み付け部１０１ａの前方に上下に貫通する前孔１０２が設けられ、踏み付け部１０１ａの後方に位置する踵部１０３に両側面１０３ａに貫通する側孔１０４が設けられ、止め環１０５がその環部分１０５ａが前孔１０２から台座１０１の表面に突出した状態で固定されてなり、鼻緒１１０は、中央の折返部１１０ｂで折り返されることで左右の横緒となる主鼻緒１１０ａを有するとともに、主鼻緒１１０ａの両先端は結び紐を設けてなり、鼻緒１１０の一方の結び紐を止め環１０５の環部分１０５ａに通して折返部１１０ｂにまで位置させ、さらに側孔１０４に挿通して結び紐１１２を結ぶことで台座１０１に鼻緒が着脱可能に取り付けられることを特徴とする【選択図】  図１
0003110502.tif 000002
【実用新案登録請求の範囲】
【請求項１】
足を乗せる台座と、台座に取付ける鼻緒とからなり、
前記台座の踏み付け部の前方に上下に貫通する前孔が設けられ、前記踏み付け部の後方に位置する踵部に両側面に貫通する横方向の側孔が設けられ、止め環がその環部分が前記前孔から台座の表面に突出した状態で前記台座に固定されてなり、
前記鼻緒は、中央の折返部で折り返されることで左右の横緒となる主鼻緒を有するとともに、前記主鼻緒の両先端は結び紐を設けてなり、
前記鼻緒の一方の結び紐を前記止め環の環部分に通して折返部にまで位置させ、さらに前記側孔に挿通して前記結び紐を結ぶことで前記台座に前記鼻緒が着脱可能に取り付けられることを特徴とする下駄。
【考案の詳細な説明】
【技術分野】
【０００１】
本考案は、鼻緒を着脱できるようにした下駄に係り、特に、下駄の台座に対して鼻緒を簡単に着脱できるので、例えば履物店の店舗において台座と鼻緒とを別個に陳列しておき、購入者が好みの台座と鼻緒とを選択して購入できるようにしたり、台座と複数本の鼻緒とをセットで販売できるようにしたものである。
【背景技術】
【０００２】
従来、鼻緒の取り付けを簡易にした下駄としては、足を乗せる台と、この台の前方に設けられた第１の穴及び台の後方に設けられた左右の第２の穴と、上記各穴に挿通する鼻緒とを有し、第１の穴には、鼻緒の中途を折曲したＵターン部が挿し込まれていて、台の裏側に位置する鼻緒のＵタ−ン部に鼻緒の抜け防止部材を取付けてなる構造のものが提案されている。
【特許文献１】特開２００２−１２５７０１号公報
【考案の開示】
【考案が解決しようとする課題】
【０００３】
そして、女性の外出用の下駄は、多種の目的で使用することが多いので、使用目的に応じて鼻緒を自由に変えることができるのが望ましい。また、販売時には下駄の台と鼻緒とを別にして、購入者の好みに応じて下駄の台と鼻緒とを組み合わせることができるようにしたり、または複数本の鼻緒と台座とをセットにして販売するのが好ましい。
しかし、従来では下駄の台に鼻緒が一体となっているので、使用者の好みや気分に応じて、または着用しているゆかたやバッグなどとコーディネートする時に鼻緒を選ぶことができない。
【０００４】
この考案は、上記課題を解決するものであり、下駄の鼻緒の取り付け構造を改善して、台座に対する鼻緒の着脱がきわめて容易であるから、台座と鼻緒とを別個に陳列することにより購入者が好みの台座と鼻緒とを選択して購入できるばかりでなく、台座と複数本の鼻緒とをセットで販売することにより、使用者の気分に応じて、若しくは衣類やバッグなどとコーディネートする時に、好みの鼻緒を付けた下駄を着用することができる。
また、仮に鼻緒が汚損した場合、台座から取り外して洗浄し、新たな鼻緒として台座に取り付けることができる。
【課題を解決するための手段】
【０００５】
上記課題を解決するために請求項１に記載の考案は、足を乗せる台座と、台座に取付ける鼻緒とからなり、前記台座の踏み付け部の前方に上下に貫通する前孔が設けられ、前記踏み付け部の後方に位置する踵部に両側面に貫通する側孔が設けられ、止め環がその環部分が前記前孔から台座の表面に突出した状態で固定されてなり、前記鼻緒は、中央の折返部で折り返されることで左右の横緒となる主鼻緒を有するとともに、前記主鼻緒の両先端は結び紐を設けてなり、前記鼻緒の一方の結び紐を前記止め環の環部分に通して折返部にまで位置させ、さらに前記側孔に挿通して前記結び紐を結ぶことで前記台座に前記鼻緒が着脱可能に取り付けられることを特徴とする下駄に関するものである。
【考案の効果】
【０００６】
本考案の下駄によれば、台座に対して鼻緒を自由に、簡単に着脱できるので、台座と複数本の鼻緒とをセットに販売すると、購入者は、使用者の好みや気分に応じて、または着用しているゆかたやバッグなどとコーディネートする時に鼻緒を選択して使用できる。また、履物の店舗において、購入者は台座と鼻緒とを好みに応じて購入することができるし、鼻緒が汚損した場合に、洗浄することもできるものである。
【考案を実施するための最良の形態】
【０００７】
以下、図面に基づいて本考案の実施の形態を説明する。
【実施例】
【０００８】
図１は本考案の実施例の下駄の斜視図、図２は図１の下駄の個々の部品の斜視図、図３、（ａ），（ｂ）は図１の下駄の組立過程を示す一部切欠断面図である。
【０００９】
図１において、本考案の下駄１００は、足を乗せる台座１０１と、台座１０１に取付ける鼻緒１１０とで構成されている。台座１０１は、木製または皮製のものが良いが、樹脂製であっても良い。台座１０１の踏み付け部１０１ａの前方には、上下に貫通する前孔１０２が設けられている。また、踏み付け部１０１ａの後方に位置する踵部１０３には、両側面１０３ａ，１０３ａに貫通する横方向の側孔１０４が設けられている。
そして、前孔１０２には、止め環１０５が前孔１０２から台座１の表面に突出した状態で台座１０１に固定されている。止め環１０５は、環部分１０５ａの端部が前孔１０２に挿通され、台座１の裏側または前孔１０２内において金具に結び付けたり接着剤、結び目などにより固着されている。
【００１０】
鼻緒１１０は、中央の折返部１１０ｂで折り返されることで左右の横緒１１１となる丸太の主鼻緒１１０ａを有するとともに、主鼻緒１１０ａの両先端は一組の紐からなる結び紐１１２，１１２が設けられている。
【００１１】
また、図２に示すように、下駄１００は、足を乗せる台座１０１と鼻緒１１０とは別体の状態で販売される。使用者は、自分で台座１０１に鼻緒１１０を取付けて下駄を組み立てて使用する。
【００１２】
次に、図３、（ａ），（ｂ）を参照して下駄１００の組立過程について説明する。
使用者は、台座１０１に固定されている止め環１０５の環部分１０５ａに鼻緒１１０の一方の結び紐１１２を通して折返部１１０ｂにまで位置させ、さらに、側孔１０４に挿通して自分の足の大きさに合わせて鼻緒１１０の長さを調整して、結び紐１１２，１１２を結ぶ。そして、このときに形成された結び目１１２ａを側孔１０４内に移動させて、使用中に結び目１１２ａが歩行の邪魔にならないようにして、台座１０１への鼻緒１１０の取り付けが完了する。
【００１３】
このように下駄１００は、台座１０１に鼻緒１１０が着脱可能に取り付けられるため、使用後に結び目１１２ａを解いて、鼻緒１１０を取り外すことができる。したがって、使用者の気分や衣服などのコーディネートする時に鼻緒１１０を交換できるし、鼻緒が汚れることを気にせずに使用者が気軽に使用することができる。また、鼻緒１１０は台座１０１に着脱可能に取り付けられるので、下駄１００に鼻緒１１０が取り付けられていても、着る着物に合わせて鼻緒１１０を取り外して、別の鼻緒１１０に取りかえて使用することが容易にできる。また、長期間使用しないときには、足を乗せる台座１０１と、鼻緒１１０を別々に保管できるので高級感を保つように下駄１００を保管することも容易である。
【産業上の利用可能性】
【００１４】
本考案は前記実施例に限定されるものではなく、実用新案登録請求の範囲に記載された本考案を逸脱することがなければ、種々の設計変更が可能であり、前記実施例に限定されないことはいうまでもない。
【図面の簡単な説明】
【００１５】
【図１】本考案の実施例の下駄の斜視図である。
【図２】図１の下駄の個々の部品の斜視図である。
【図３】（ａ），（ｂ）は図１の下駄の組立過程を示す一部切欠断面図である。
【符号の説明】
【００１６】
１００  下駄
１０１  台座
１０１ａ  踏み付け部
１０２  前孔
１０３  踵部
１０３ａ  踵部の側面
１０４  側孔
１０５  止め環
１０５ａ  環部分
１１０  鼻緒
１１０ａ  主鼻緒
１１０ｂ  折返部
１１１  横緒
１１２  ひも
１１２ａ  結び目
【図１】
0003110502.tif 000003
【図２】
0003110502.tif 000004
【図３】
0003110502.tif 000005